(57)【特許請求の範囲】
【請求項１】
見出し文字汚れ防止装置を装備した印字器に取り付ける輪状のバンド本体と、このバンド本体の外周面にそれぞれの領域に分けて形成した所定数の印字文字および見出し文字と、このバンド本体の内周面に突出形成した複数個の駆動用突起部と、を有するとともに、これら駆動用突起部のうちの少なくとも一部を、他の駆動用突起部より高く形成して前記見出し文字汚れ防止装置におけるストッパー部に係止可能とした印字用エンドレスバンドであって、前記ストッパー部に係止する高い駆動用突起部の硬度を他の低い駆動用突起部の硬度より高くしたことを特徴とする印字用エンドレスバンド。
【請求項２】
見出し文字汚れ防止装置を装備した印字器に取り付ける輪状のバンド本体と、このバンド本体の外周面にそれぞれの領域に分けて形成した所定数の印字文字および見出し文字と、このバンド本体の内周面に突出形成した複数個の駆動用突起部と、を有するとともに、これら駆動用突起部のうちの少なくとも一部を、前記見出し文字汚れ防止装置におけるストッパー部に係止可能とした印字用エンドレスバンドの製造方法であって、前記印字文字用の印字側型および前記見出し文字用の見出し側型の間にそれぞれの型に対向させて硬度がより低いゴム材の一対を配置する低硬度ゴム材配置工程と、この一対の低硬度ゴム材の内側に前記駆動用突起部用の突起部型としての中子型を配置する中子配置工程と、この突起部型の、前記ストッパー部に係止する前記駆動用突起部用の型部分のみに前記低硬度ゴム材より硬度が高いゴム材を配置する高硬度ゴム材配置工程と、前記印字側型および前記見出し側型を合わせて加熱および加圧する加熱加圧処理工程と、を有することを特徴とする印字用エンドレスバンドの製造方法。
【請求項３】
前記中子配置工程において、前記駆動用突起部のうちの一部を他の駆動用突起部より高く形成して前記ストッパー部に係止可能とするように前記突起部型を設けるとともに、前記高硬度ゴム材配置工程において、前記突起部型の、この高い駆動用突起部用の型部分のみに前記低硬度ゴム材より硬度が高いゴム材を配置することを特徴とする請求項２記載の印字用エンドレスバンドの製造方法。
【請求項４】
見出し文字汚れ防止装置を装備した印字器に取り付ける輪状のバンド本体と、このバンド本体の外周面にそれぞれの領域に分けて形成した所定数の印字文字および見出し文字と、このバンド本体の内周面に突出形成した複数個の駆動用突起部と、を有するとともに、これら駆動用突起部のうちの少なくとも一部を、前記見出し文字汚れ防止装置におけるストッパー部に係止可能とした印字用エンドレスバンドの製造方法であって、前記ストッパー部に係止する前記駆動用突起部の表面に後処理により、硬度が高いゴム材をコーティングすることを特徴とする印字用エンドレスバンドの製造方法。
【請求項５】
前記駆動用突起部のうちの一部を他の駆動用突起部より高く形成して前記ストッパー部に係止可能とするとともに、この高い駆動用突起部の表面に後処理により、硬度が高いゴム材をコーティングすることを特徴とする請求項４記載の印字用エンドレスバンドの製造方法。
【発明の詳細な説明】
【０００１】
【発明の属する技術分野】
本発明は印字用エンドレスバンドおよびその製造方法にかかるもので、とくに携帯式のラベル印字貼付装置（ハンドラベラー）などに装着される印字器における印字用エンドレスバンドおよびその製造方法に関するものである。
【０００２】
【従来の技術】
従来のハンドラベラーなどに装備される印字器おいては、印字文字および見出し文字を印字用エンドレスバンドに形成し、これを回転させることにより所望の印字文字を印字可能な状態とし、インキローラーなどによって印字文字にインキを塗布し、ラベルなどに押印するようにしている。
当該印字用エンドレスバンドは、選択ホィールと印字受け台部との間にこれを複数列に張設し、見出し用文字を見ながら印字文字を選択し、複数桁の情報を印字可能としている。
【０００３】
しかしながら、当該印字用エンドレスバンドを任意の回転範囲まで回転可能としておくと、見出し文字までがインキローラーに対向してインキが塗布し、これが汚れてしまうことがある。
【０００４】
こうした見出し文字の汚れ防止装置（インキ塗布回避手段）として、たとえば図６は、特開平６−１５５８７８号による印字装置１における見出し文字の汚れ防止装置２の要部断面図であって、この見出し文字の汚れ防止装置２において、印字用エンドレスバンド３の外周面側に凸部４を形成してストッパー５に係止可能としするとともに、内周面側に傾斜面６を形成してある。
印字用エンドレスバンド３の凸部４がストッパー５に当接する制限位置に達したときにセット軸７を無理に回転させようとすると、印字用エンドレスバンド３とセット軸７とが互いにスリップするようにしている。
したがって、印字用エンドレスバンド３の印字文字８のみがインキローラーＲに接触可能であり、見出し文字９はインキローラーＲに接触することがなく、その汚れを防止することができる。
【０００５】
しかしながら、この見出し文字の汚れ防止装置２においては、過大な力で印字用エンドレスバンド３を回転させようとしたときのスリップによって、印字用エンドレスバンド３の傾斜面６の摩耗や亀裂などの損傷が生ずること、あるいは凸部４自体が変形してストッパー５を乗りこえてしまうため見出し文字９がインキローラーＲに接触して汚れる可能性があるという問題がある。
【０００６】
図７は、特公平４−３４９５１号による印字装置１０における見出し文字の汚れ防止装置１１の要部断面図であって、印字用エンドレスバンド１２の内周面側に形成したノーズ１３とストッパー肩１４との係合により印字用エンドレスバンド１２の回転を制限し、印字文字１５のみがインキローラーＲに接触可能であり、見出し文字１６はインキローラーＲに接触することがなく、その汚れを防止することができる。
なお、ストッパー肩１４に対向して、かつ印字用エンドレスバンド１２の反対側にウェブ１７を配置することにより、印字用エンドレスバンド１２からのノーズ１３の乗りこえを防止するようにしている。
【０００７】
しかしながら、この見出し文字の汚れ防止装置１１においても、過大な力で回転した場合の印字用エンドレスバンド１２のノーズ１３が変形してストッパー肩１４を乗りこえてしまうという問題がある。
【０００８】
いずれの見出し文字の汚れ防止装置２、１１の構造の場合も、見出し文字９、１６の汚れを防止するために、印字用エンドレスバンド３、１２の回転を所定領域において制限しようとしたときに、印字用エンドレスバンド３、１２に直接あるいは間接に外力が大きく作用することを避けることが困難であり、その損傷ないし伸びの問題、さらには突起部材（凸部４、ノーズ１３）がストッパー（ストッパー５、ストッパー肩１４）を乗りこえてしまって所期の目的を達成することができないなどの問題がある。
【０００９】
【発明が解決しようとする課題】
本発明は以上のような諸問題にかんがみなされたもので、印字用エンドレスバンドの見出し文字部分のインキローラーによる汚れを確実に防止することができる印字用エンドレスバンドおよびその製造方法を提供することを課題とする。
【００１０】
また本発明は、印字用エンドレスバンドの駆動用突起部とストッパー部とを係止させて印字用エンドレスバンドの回転を規制する際に駆動用突起部の変形が生じないようにした印字用エンドレスバンドおよびその製造方法を提供することを課題とする。
【００１１】
また本発明は、印字用エンドレスバンドの駆動用突起部とストッパー部とを確実かつ完全に係止させて印字用エンドレスバンドの回転を規制することができるようにした印字用エンドレスバンドおよびその製造方法を提供することを課題とする。
【００１２】
また本発明は、見出し文字部分のインキローラーによる汚れを確実に防止することができるようにした印字用エンドレスバンドを容易に製造することができる印字用エンドレスバンドおよびその製造方法を提供することを課題とする。
【００１３】
【課題を解決するための手段】
すなわち本発明は、印字用エンドレスバンドを二種類の硬度のゴム材から構成すること、ストッパー部と係止する駆動用突起部をより高い硬度とすることに着目したもので、第一の発明は、見出し文字汚れ防止装置を装備した印字器に取り付ける輪状のバンド本体と、このバンド本体の外周面にそれぞれの領域に分けて形成した所定数の印字文字および見出し文字と、このバンド本体の内周面に突出形成した複数個の駆動用突起部と、を有するとともに、これら駆動用突起部のうちの少なくとも一部を、他の駆動用突起部より高く形成して上記見出し文字汚れ防止装置におけるストッパー部に係止可能とした印字用エンドレスバンドであって、上記ストッパー部に係止する高い駆動用突起部の硬度を他の低い駆動用突起部の硬度より高くしたことを特徴とする印字用エンドレスバンドである。
【００１６】
第二の発明は、見出し文字汚れ防止装置を装備した印字器に取り付ける輪状のバンド本体と、このバンド本体の外周面にそれぞれの領域に分けて形成した所定数の印字文字および見出し文字と、このバンド本体の内周面に突出形成した複数個の駆動用突起部と、を有するとともに、これら駆動用突起部のうちの少なくとも一部を上記見出し文字汚れ防止装置におけるストッパー部に係止可能とした印字用エンドレスバンドの製造方法であって、上記印字文字用の印字側型および上記見出し文字用の見出し側型の間にそれぞれの型に対向させて硬度がより低いゴム材の一対を配置する低硬度ゴム材配置工程と、この一対の低硬度ゴム材の内側に上記駆動用突起部用の突起部型としての中子型を配置する中子配置工程と、この突起部型の、上記ストッパー部に係止する上記駆動用突起部用の型部分のみに上記低硬度ゴム材より硬度が高いゴム材を配置する高硬度ゴム材配置工程と、上記印字側型および上記見出し側型を合わせて加熱および加圧する加熱加圧処理工程と、を有することを特徴とする印字用エンドレスバンドの製造方法である。
【００１７】
上記中子配置工程において、上記駆動用突起部のうちの一部を他の駆動用突起部より高く形成して上記ストッパー部に係止可能とするように上記突起部型を設けるとともに、上記高硬度ゴム材配置工程において、上記突起部型の、この高い駆動用突起部用の型部分のみに上記低硬度ゴム材より硬度が高いゴム材を配置することができる。
【００１８】
第三の発明は、見出し文字汚れ防止装置を装備した印字器に取り付ける輪状のバンド本体と、このバンド本体の外周面にそれぞれの領域に分けて形成した所定数の印字文字および見出し文字と、このバンド本体の内周面に突出形成した複数個の駆動用突起部と、を有するとともに、これら駆動用突起部のうちの少なくとも一部を、上記見出し文字汚れ防止装置におけるストッパー部に係止可能とした印字用エンドレスバンドの製造方法であって、上記ストッパー部に係止する上記駆動用突起部の表面に後処理により、硬度が高いゴム材をコーティングすることを特徴とする印字用エンドレスバンドの製造方法である。
【００１９】
上記駆動用突起部のうちの一部を他の駆動用突起部より高く形成して上記ストッパー部に係止可能とするとともに、この高い駆動用突起部の表面に後処理により、硬度が高いゴム材をコーティングすることができる。
【００２０】
上記駆動用突起部が上記ストッパー部と係止する係止部を硬くすることができる。
【００２１】
上記ストッパー部に係止する上記駆動用突起部の全体を硬くすることができる。
【００２２】
上記ストッパー部に係止する上記駆動用突起部の表面を硬くすることができる。
【００２３】
本発明による印字用エンドレスバンドおよびその製造方法においては、見出し文字汚れ防止装置におけるストッパー部に係止する駆動用突起部の硬度を他の部分、たとえばバンド本体、その他の駆動用突起部、ないしは低い駆動用突起部の硬度より高くしたので、この駆動用突起部がストッパー部に係止したときに容易に変形することがなく、そのストッパー機能をより確実に発揮することができる。
しかも、ストッパー部に係止するこの駆動用突起部以外の印字用エンドレスバンド部分は、従来と同様に、より硬度の低いゴム材によりこれを構成することができるため、印字文字についてはその印字・スタンプ機能を確実に維持し、他の駆動用突起部については選択ホィールとの係合を確実にすることができる。
【００２４】
【発明の実施の形態】
つぎに本発明の第１の実施の形態による印字用エンドレスバンド２０をその製造方法とともに図１ないし図３にもとづき説明する。
図１は、上記印字用エンドレスバンド２０の断面図であって、印字用エンドレスバンド２０は、輪状のバンド本体２１と、このバンド本体２１の外周面にそれぞれの領域に分けて形成した所定数の印字文字２２および見出し文字２３と、バンド本体２１の内周面に各見出し文字２３に対応して突出形成した複数個の低い駆動用突起部２４および高い駆動用突起部２５（図の例では２個）と、を有する。
なお、駆動用突起部２２、２３を形成していないバンド本体２１の他の内周面は、これを平坦部２６としてある。
【００２５】
また、駆動用突起部２４、２５の高さとしては、見出し文字汚れ防止装置の構造に対応して、そのすべてを均一の高さとする構成、あるいはその一部を高くする構成など任意のものを選択することができる。
高い駆動用突起部２５の数としては、印字用エンドレスバンド２０の内周面において左右対象であれば、印字文字２２および見出し文字２３の数などに応じて印字用エンドレスバンド２０の内周面の所定領域にわたって任意に設定することができる。
【００２６】
高い駆動用突起部２５は、たとえば、従来例として示した印字装置１のストッパー５（図６）、あるいは見出し文字の汚れ防止装置１１のストッパー肩１４（図７）その他任意の見出し文字汚れ防止装置におけるストッパー部にこれを係止するもので、その硬度は、これを他の低い駆動用突起部２４の硬度より高くしてある。
【００２７】
図２は、この印字用エンドレスバンド２０の製造方法を説明するための概略説明図であり、印字文字２２の印字文字型２７および見出し文字２３の見出し文字型２８をその内壁面にそれぞれ彫り込んだ印字側型２９および見出し側型３０を準備し、たとえば印字側型２９にシート状の低硬度ゴム材３１（より低い硬度のゴム材）を載置する（低硬度ゴム材配置工程）。
【００２８】
この低硬度ゴム材３１の上に、中子型３２（突起部型）を載置する（中子配置工程）。
この中子型３２には、低い駆動用突起部２４の低い駆動用突起部型３３および高い駆動用突起部２５の高い駆動用突起部型３４を彫刻してあるとともに、バンド本体２１の補強材３５（たとえば糸材）を巻いてある。
【００２９】
中子型３２の高い駆動用突起部型３４に対向する部分のみに、低硬度ゴム材３１より硬度が高い細片状のゴム材（高硬度ゴム材３６）を配置する（高硬度ゴム材配置工程）。
【００３０】
さらにこの高硬度ゴム材３６を被覆するように他の低硬度ゴム材３１を再度載置し（低硬度ゴム材配置工程）、最後に見出し側型３０を載置するとともに、加圧および加熱することにより（加熱加圧処理工程）、印字用エンドレスバンド２０を製造する。
【００３１】
もちろん、上述の準備工程を全く逆にして、つまり初めに見出し側型３０にシート状の低硬度ゴム材３１を準備し、上述と同様に中子型３２および高硬度ゴム材３６などを順に配置し、最後に印字側型２９を準備して加熱加圧処理をしてもよい。
【００３２】
図３は、かくして製造された印字用エンドレスバンド２０の高い駆動用突起部２５部分の拡大断面図であって、低硬度ゴム材３１によるバンド本体２１、印字文字２２および低い駆動用突起部２４に、高硬度ゴム材３６による高い駆動用突起部２５が融合結着されて見出し文字２３部分のみが高硬度となる。
【００３３】
こうした構成の印字用エンドレスバンド２０において、当該高い駆動用突起部２５が前記ストッパー５（図６）あるいは前記ストッパー肩１４（図７）などのストッパー部と係止する係止部２５Ａを硬くすることが可能となり、高い駆動用突起部２５がこれらストッパー部に係止してもその変形によりストッパー部にもぐり込むこともなく、印字用エンドレスバンド２０を所定位置において確実に停止させ、見出し文字２３がインキローラーＲに接触することを回避し、その汚れを防止可能である。
【００３４】
なお本発明においては、上述の実施の形態のように、高い駆動用突起部２５の全体あるいはその係止部２５Ａを硬くすることもできるが、その表面を硬くすることも可能である。
すなわち図４は、本発明の第２の実施の形態による印字用エンドレスバンド４０およびその製造方法を示す概略斜視図であり、従来からの手法により製造した印字用エンドレスバンド原材４１を表裏反転させて高い駆動用突起部２５を表側に位置させ、その表面に、硬度が高いゴム材４２（高硬度ゴム材）を噴霧により後処理としてコーティングし、高硬度表面４３を作製してある。
なお、高い駆動用突起部２５部分以外を被覆する被覆カバー４４を設け、高硬度ゴム材４２の噴霧器４５によりこれを噴霧する際に高い駆動用突起部２５のみに高硬度表面４３のコーティングを可能とし、製造工程を単純化可能である。
【００３５】
こうした構成の印字用エンドレスバンド４０においても、印字用エンドレスバンド２０の場合と同様に、ストッパー部に高い駆動用突起部２５が係止した際に高い駆動用突起部２５が容易に変形することなく、その係止を確実として見出し文字２３の汚れ防止を確実に行うことができる。
【００３６】
なお本発明による印字用エンドレスバンド２０、４０は、図６の印字装置１における見出し文字の汚れ防止装置２、あるいは図７の印字装置１０における見出し文字の汚れ防止装置１１などにも適用可能であり、その他任意の見出し文字の汚れ防止装置に適用することができる。
【００３７】
たとえば図５は、本発明による印字用エンドレスバンド２０を組み付けた印字器５０、および印字器５０に装備した見出し文字汚れ防止装置５１の断面図であり、印字器５０は、見出し文字汚れ防止装置５１と、印字器フレーム５２と、印字選択用の操作軸５３と、複数列の選択ホィール５４と、印字受け台部５５と、本発明による複数列の印字用エンドレスバンド２０と、を有する。
【００３８】
印字器フレーム５２には、押さえフレーム５２Ａおよびストッパーガイド部５２Ｂを形成してある。
【００３９】
操作軸５３は、その軸方向にこれを移動させることにより任意の列の印字用エンドレスバンド２０を選択し（割り出し）、割り出した列において選択ホィール５４を回転させることによりその印字用エンドレスバンド２０内の特定の印字文字２２を選択するもので、インジケーター５６と、ロータリーピン５７と、を取り付けてある。
【００４０】
ロータリーピン５７は、操作軸５３と一体に移動および回転するものであり、選択ホィール５４の内周面に突出し、任意の列における選択ホィール５４の内周係合溝５４Ａに係合可能となっている。
【００４１】
選択ホィール５４と印字受け台部５５との間に、所定の張力をもって印字用エンドレスバンド２０を張りわたしてある。なお、印字受け台部５５の近傍に印字用エンドレスバンド２０の張設調整装置５８を設けてある。
【００４２】
印字用エンドレスバンド２０の内周面において、見出し文字２３に対応する部分には、選択ホィール５４の外周係合溝５４Ｂにそれぞれ係合可能な低い駆動用突起部２４および高い駆動用突起部２５を形成してある。
【００４３】
低い駆動用突起部２４および高い駆動用突起部２５が、選択ホィール５４の外周係合溝５４Ｂに係合し、選択ホィール５４の回転により任意の印字文字２２をインキローラーＲと接触可能とする。
【００４４】
ただし、見出し文字汚れ防止装置５１により見出し文字２３がインキローラーＲに接触することはない。すなわち見出し文字汚れ防止装置５１は、複数列の可動ストッパー部材５９と、ストッパー受け部材６０と、印字用エンドレスバンド２０に形成した高い駆動用突起部２５と、を有する。
【００４５】
可動ストッパー部材５９は、選択ホィール５４および印字受け台部５５との間にこれを位置させるとともに、選択ホィール５４に係合する一対の節度ボス部５９Ａと、印字受け台部５５側の弾性部５９Ｂと、を有する。
【００４６】
さらに、可動ストッパー部材５９は、その節度ボス部５９Ａを選択ホィール５４の外周係合溝５４Ｂに係脱可能とする。
ただし、可動ストッパー部材５９の中央部にはガイド用長窓５９Ｃを形成し、印字器フレーム５２に突出形成したストッパーガイド部５２Ｂ内にこのガイド用長窓５９Ｃを嵌合する。
通常の選択可能状態では、ガイド用長窓５９Ｃとストッパーガイド部５２Ｂとの間には上側の間隙Ｓをあけてあり、可動ストッパー部材５９の図中下方向への移動および復帰移動を可能としている。
【００４７】
弾性部５９Ｂは、二股状の係止バネ部５９Ｄと、高い駆動用突起部２５に係合する突起係止部５９Ｅと、弾性部傾斜面５９Ｆと、を有する。
【００４８】
ストッパー受け部材６０は、可動ストッパー部材５９と印字受け台部５５との間に位置しており、弾性部５９Ｂ（弾性部傾斜面５９Ｆ）に当接する受け部傾斜面６０Ａを有する。
ストッパー受け部材６０は、可動ストッパー部材５９の弾性部５９Ｂに当接して可動ストッパー部材５９の移動を規制する。
【００４９】
こうした構成の印字器５０および見出し文字汚れ防止装置５１において、通常の印字選択状態では、操作軸５３をその軸方向に移動させることにより任意の列を割り出し、その列においてこれを正逆任意の方向に回転させれば、選択ホィール５４が印字用エンドレスバンド２０を回転させ、その所望の見出し文字２３が見える位置で停止させる。
【００５０】
この選択状態では、選択した見出し文字２３に対応する印字文字２２が印字受け台部５５にセットされて露出しており、インキローラーＲの転動によって印字文字２２にインキを塗布し、印字器５０全体をたとえばハンドレバー（図示せず）などの操作によってラベル上に押印することにより印字することができる。
【００５１】
図中時計方向に印字用エンドレスバンド２０を回転させたときには回転が阻止される状態となる。すなわち、まず所定の列において操作軸５３を操作して選択ホィール５４を回転させ、印字用エンドレスバンド２０を時計方向に回転させようとしても、印字用エンドレスバンド２０の高い駆動用突起部２５が可動ストッパー部材５９における弾性部５９Ｂの突起係止部５９Ｅ（図中右側）に係合する。
【００５２】
したがって、これ以上選択ホィール５４を回転させようとしても、高い駆動用突起部２５と突起係止部５９Ｅとが係合しているので、選択ホィール５４の回転は阻止され、印字用エンドレスバンド２０の見出し文字２３がインキローラーＲにより汚れることを防止することができる。
【００５３】
さらに、上述の回転阻止状態において、選択ホィール５４を無理にこれ以上回転させようとすると、選択ホィール５４の外周係合溝５４Ｂが可動ストッパー部材５９の節度ボス部５９Ａから外れてこれに乗り上げる。
すなわち、可動ストッパー部材５９がストッパーガイド部５２Ｂに案内されて図中下方に移動し、ガイド用長窓５９Ｃとストッパーガイド部５２Ｂとの間には下側の間隙が生ずるとともに、弾性部傾斜面５９Ｆが受け部傾斜面６０Ａの上面を滑って、弾性部５９Ｂの左右一対の係止バネ部５９Ｄが外方に広がり、突起係止部５９Ｅと印字用エンドレスバンド２０の高い駆動用突起部２５との係合をさらに強固にする。
【００５４】
この状態で、上側の突起係止部５９Ｅ部分との間の印字用エンドレスバンド２０にたるみが発生し、低い駆動用突起部２４が選択ホィール５４の外周係合溝５４Ｂから外れて選択ホィール５４が空まわりする。
なお、選択ホィール５４あるいは印字用エンドレスバンド２０のその回転方向前方に突起係止部５９Ｅと高い駆動用突起部２５との係合部分が位置しているとともに、印字器フレーム５２の押さえフレーム５２Ａが印字用エンドレスバンド２０を押さえてこれが外方に広がることを抑制しているので、印字用エンドレスバンド２０と選択ホィール５４との間には、十分なたるみが発生し、選択ホィール５４の空まわりを確実にすることができる。
【００５５】
したがって、印字用エンドレスバンド２０の高い駆動用突起部２５が他の部分より硬度が高いために高い駆動用突起部２５の部分で確実にストッパー機能が発揮されていることとあいまって、過大な外力がかかっても選択ホィール５４を空まわりさせることができるが、選択ホィール５４の回転自体が、印字用エンドレスバンド２０より可動ストッパー部材５９の節度ボス部５９Ａ部分にかかるとともに、可動ストッパー部材５９は印字用エンドレスバンド２０より硬質であるため、その摩耗による印字選択に支障が生ずるということはない。
【００５６】
ここで、選択ホィール５４を反対側（反時計方向）に回転させれば、外周係合溝５４Ｂと節度ボス部５９Ａとの係合が再度実現されるとともに、可動ストッパー部材５９の弾性力によって可動ストッパー部材５９は元位置に復帰する。
また、高い駆動用突起部２５が可動ストッパー部材５９の反対側（図４中左側）の突起係止部５９Ｅに係止するまでは、印字用エンドレスバンド２０は自由に回転することができる。
【００５７】
【発明の効果】
以上のように本発明によれば、ストッパー部に係止する高い駆動用突起部などの硬度を低い駆動用突起部あるいはバンド本体などその他の部分の硬度より高くしたので、駆動用突起部の変形を防止してこの駆動用突起部が突起係止部その他のストッパー部に係止したときの見出し文字の汚れ防止機能を確実化することができる。
【図面の簡単な説明】
【図１】本発明の第１の実施の形態による印字用エンドレスバンド２０の断面図である。
【図２】同、印字用エンドレスバンド２０の製造方法を説明するための概略説明図である。
【図３】同、製造された印字用エンドレスバンド２０の高い駆動用突起部２５部分の拡大断面図である。
【図４】本発明の第２の実施の形態による印字用エンドレスバンド４０およびその製造方法を示す概略斜視図である。
【図５】本発明による印字用エンドレスバンド２０を組み付けた印字器５０および印字器５０に装備した見出し文字汚れ防止装置５１の断面図である。
【図６】従来の技術の特開平６−１５５８７８号による印字装置１における見出し文字の汚れ防止装置２の要部断面図である。
【図７】従来の技術の特公平４−３４９５１号による印字装置１０における見出し文字の汚れ防止装置１１の要部断面図である。
【符号の説明】
１  印字装置（図６）
２  印字装置１における見出し文字の汚れ防止装置
３  印字用エンドレスバンド
４  凸部
５  ストッパー
６  傾斜面
７  セット軸
８  印字用エンドレスバンド３の印字文字
９  印字用エンドレスバンド３の見出し文字
１０  印字装置（図７）
１１  印字装置１０における見出し文字の汚れ防止装置
１２  印字用エンドレスバンド
１３  ノーズ
１４  ストッパー肩
１５  印字用エンドレスバンド１２の印字文字
１６  印字用エンドレスバンド１２の見出し文字
１７  ウェブ
２０  印字用エンドレスバンド（第１の実施の形態、図１）
２１  輪状のバンド本体
２２  バンド本体２１の印字文字
２３  バンド本体２１の見出し文字
２４  低い駆動用突起部
２５  高い駆動用突起部
２５Ａ  高い駆動用突起部２５の係止部
２６  バンド本体２１の内周面の平坦部
２７  印字文字２２の印字文字型
２８  見出し文字２３の見出し文字型
２９  印字側型
３０  見出し側型
３１  シート状の低硬度ゴム材
３２  中子型（突起部型）
３３  低い駆動用突起部型
３４  高い駆動用突起部型
３５  補強材（たとえば糸材）
３６  細片状の高硬度ゴム材
４０  印字用エンドレスバンド（第２の実施の形態、図４）
４１  印字用エンドレスバンド原材
４２  高硬度ゴム材
４３  高い駆動用突起部２５の高硬度表面
４４  被覆カバー
４５  高硬度ゴム材４２の噴霧器
５０  印字器（図５）
５１  印字器５０における見出し文字汚れ防止装置
５２  印字器フレーム
５２Ａ  印字器フレーム５２の押さえフレーム
５２Ｂ  印字器フレーム５２のストッパーガイド部
５３  印字選択用の操作軸
５４  選択ホィール
５４Ａ  選択ホィール５４の内周係合溝
５４Ｂ  選択ホィール５４の外周係合溝
５５  印字受け台部
５６  インジケーター
５７  ロータリーピン
５８  インジ用エンドレスバンド２０の張設調整装置
５９  可動ストッパー部材
５９Ａ  可動ストッパー部材５９の節度ボス部
５９Ｂ  可動ストッパー部材５９の弾性部
５９Ｃ  可動ストッパー部材５９のガイド用長窓
５９Ｄ  弾性部５９Ｂの係止バネ部
５９Ｅ  弾性部５９Ｂの突起係止部
５９Ｆ  弾性部５９Ｂの弾性部傾斜面
６０  ストッパー受け部材
６０Ａ  ストッパー受け部材６０の受け部傾斜面
Ｒ  インキローラー
Ｓ  ガイド用長窓５９Ｃとストッパーガイド部５２Ｂとの間における上側の間隙
【図１】
0003729983.tif 000002
【図２】
0003729983.tif 000003
【図３】
0003729983.tif 000004
【図４】
0003729983.tif 000005
【図５】
0003729983.tif 000006
【図６】
0003729983.tif 000007
【図７】
0003729983.tif 000008